(57)【特許請求の範囲】
【請求項１】
情報の記録または再生を行うためのヘッドであって、回転する板状の情報記録媒体に対向面を対向させた状態で上記情報記録媒体の回転により生じる気流によって上記情報記録媒体上で浮上動作する浮上型ヘッドの保持装置において、
一端を支点として回動可能に設けられ、他端において上記情報記録媒体に対する上記浮上型ヘッドの対向面の傾斜角が変化しうるように上記浮上型ヘッドを支持するとともに、上記浮上型ヘッドを回転する上記情報記録媒体に近づけることで浮上動作させ、上記情報記録媒体から遠ざけることで退避させるサスペンションと、
上記サスペンション側に移動しサスペンションと当接してサスペンションを回動させることにより上記浮上型ヘッドを退避させるとともに、上記サスペンションとは反対側に移動しサスペンションから離れることにより上記浮上型ヘッドを浮上動作させるサスペンション駆動アームと、
上記浮上型ヘッドが退避された状態では上記サスペンション側に移動して浮上型ヘッドと当接することにより上記浮上型ヘッドの対向面と上記情報記録媒体との距離が上記気流の下流側より上流側で大きくなるように上記傾斜角を規制するとともに、上記浮上型ヘッドが浮上動作に移行される際には上記サスペンションとは反対側に移動することによって上記浮上型ヘッドと干渉しない位置に退避することによって浮上型ヘッドの上記傾斜角の規制を解除するように、上記サスペンション駆動アームと一体的に駆動される補助アームとを備えることを特徴とする浮上型ヘッド保持装置。
【請求項２】
請求項１に記載の浮上型ヘッド保持装置において、
上記補助アームは、上記浮上型ヘッドが退避された状態で上記傾斜角が０．１°〜１．２°となるように規制することを特徴とする浮上型ヘッド保持装置。
【請求項３】
請求項１または２に記載の浮上型ヘッド保持装置において、
上記サスペンション駆動アームおよび補助アームは、それぞれ上記情報記録媒体の表面と平行な方向に延びるアームであり、上記補助アームの方が上記サスペンション駆動アームよりも上記情報記録媒体に近い位置にあることを特徴とする浮上型ヘッド保持装置。
【請求項４】
請求項３に記載の浮上型ヘッド保持装置において、
上記サスペンション駆動アームおよび補助アームを上記情報記録媒体の表面と平行な方向に駆動するアクチュエータをさらに備えることを特徴とする浮上型ヘッド保持装置。
【請求項５】
請求項１から４の何れか１項に記載の浮上型ヘッド保持装置において、
上記浮上型ヘッドが退避された状態から浮上動作に移行される際には、まず上記サスペンション駆動アームが上記サスペンションから離れ、その後上記補助アームが上記浮上型ヘッドから離れることを特徴とする浮上型ヘッド保持装置。
【請求項６】
請求項１から５の何れか１項に記載の浮上型ヘッド保持装置において、
上記浮上型ヘッドが浮上型光学ヘッドであることを特徴とする浮上型ヘッド保持装置。
【請求項７】
請求項１から６の何れか１項に記載の浮上型ヘッド保持装置を備えることを特徴とする情報記録装置。
【請求項８】
請求項１から６の何れか１項に記載の浮上型ヘッド保持装置を備えることを特徴とする情報再生装置。
【発明の詳細な説明】
【０００１】
【発明の属する技術分野】
本発明は、情報の記録または再生を行うためのヘッドであって、回転する板状の情報記録媒体に対向面を対向させた状態で情報記録媒体の回転により生じる気流によって情報記録媒体上で浮上動作する浮上型ヘッドの保持装置、およびこの浮上型ヘッド保持装置を備えた情報記録装置・情報再生装置に関するものである。
【０００２】
【従来の技術】
近年、データの再生、記録および消去を行うことができる光ディスクの開発が進められ、民生用やデータ保存用として広く使用されてきている。光ディスクにおいては、その容量の大容量化への要望が大きく、より大容量の光ディスクの実用化が目指されている。
【０００３】
光ディスクの容量を大容量化するためには、光ディスクへのデータの記録密度を高密度化することが考えられる。また、この高密度化への対応としては、光ビームのスポット径を小さくする手法が考えられる。
【０００４】
光ディスクに照射される光ビームのスポット径は、その光の波長をλ、集光に用いる対物レンズの開口数をＮＡとすると、λ/ＮＡに比例する。したがって、光の短波長化、対物レンズの高ＮＡ化を図ることによって光ビームのスポット径の小径化が可能になる。
【０００５】
ここで、対物レンズを高ＮＡ化すると、対物レンズの焦点深度が浅くなる。そこで、光ディスクのディスク面が傾斜しうることを考慮し、従来のように光ディスクの基板側から光入射を行うのではなく、光ディスクの膜面側から光を入射させることが検討されている。
【０００６】
光ディスクの膜面側から光を入射させるためには、対物レンズを浮上スライダ上に設けた浮上型光学ヘッドが考えられる。浮上型光学ヘッドを用いると、光ディスクにおけるヘッドとの対向部分の線速を一定に保つことにより、浮上スライダまたは対物レンズと光ディスクとの間隔、すなわち浮上量を一定に保つことができる。したがって、上記間隔を所定値に調整することで、焦点を合わせることができるようになる。
【０００７】
このように浮上型光学ヘッドを光ディスク上で浮上させ、浮上量を一定に保つためのプロセスとしては、ハードディスクの磁気ヘッド等に採用されているＣＳＳ（Contact Start and Stop）方式を採用することが考えられる。ＣＳＳ方式では、ディスクの回転およびヘッドの浮上開始前ではヘッドがディスク上に位置し、ヘッドとディスクとが接触した状態にある。この状態からディスクの回転を開始することによってヘッドが浮上し、その浮上量がディスクの線速度に応じた値になる。
【０００８】
ところが、ＣＳＳ方式を浮上型光学ヘッドの浮上に採用すると、次のような問題が生じる。ＣＳＳ方式では、ヘッドとディスクとが接触した状態からディスクの回転を開始するため、互いの接触面に傷が付くことがある。光学ヘッドでは光ビームを対物レンズによって光ディスク内の所定の部位へ集光させる必要があるが、光学ヘッドにおける光ディスク側の面に傷が付くと、その傷により光ビームが散乱され、適正な集光が阻害されてしまうという問題が生じる。光ディスクにおける光学ヘッド側の面に傷が付いた場合も、光ディスクに入射する際に光ビームが散乱され、適正な集光が阻害されてしまうという問題が生じる。
【０００９】
これに対して、特開平４−２７６３３２号公報には、磁気ヘッドを備えたスライダを光磁気ディスクと非接触位置で保持し、予め光磁気ディスクを回転させてからスライダの保持を解除してスライダを浮上させる技術が開示されている。
【００１０】
図６（ａ）は、上記公報に開示された光磁気記録再生装置の概略構成を示す正面図である。また、図６（ｂ）は、この光磁気記録再生装置の概略構成を示す側面図である。この光磁気記録再生装置は、板ばねからなり、基端部が固定されたサスペンション５３と、サスペンション５３の先端部に取り付けられたスライダ５４とを有している。サスペンション５３は、その基端部から先端部に向けて次第に幅が狭くなるように形成され、スライダ５４を下方、つまり、光磁気ディスク５５に接近する方向に付勢するようになっている。
【００１１】
スライダ５４の底面における光磁気ディスク５５の回転方向に見て前端部近傍には、前方へ向かうにつれて高くなり、光磁気ディスク５５の回転に伴う空気流（気流）の流入部となる傾斜部５４ａが形成されている。また、スライダ５４における傾斜部５４ａの後方はフラット部５４ｂとなっている。光磁気ディスク５５の回転方向に見てスライダ５４の後端部には、磁気ヘッド５６が取り付けられている。
【００１２】
サスペンション５３は、その下面に接触するサスペンション支え５７によって支持されるようになっている。サスペンション支え５７は、図６（ｂ）中矢印Ａの向きにサスペンション５３を回動させることができる。サスペンション支え５７によってサスペンション５３が回動されると、スライダ５４が持ち上げられる。これにより、スライダ５４を光磁気ディスク５５との非接触位置で保持できるようになっている。
【００１３】
ここで、サスペンション支え５７は、サスペンション５３の幅方向の中心線Ｌ−Ｌより、スライダ５４の傾斜部５４ａ寄りの位置でサスペンション５３の下面に接触するようになっているため、サスペンション支え５７がサスペンション５３を介してスライダ５４を持ち上げる際、傾斜部５４ａ、つまり、気流の流入側端部が高くなる姿勢でスライダ５４を持ち上げることになる。この状態からスライダ５４を浮上させることにより、スライダ５４が大きな浮上圧を受けることになり、スライダ５４と光磁気ディスク５５との接触が抑制されることになる。
【００１４】
【発明が解決しようとする課題】
ところが、上記公報に開示されている技術では、スライダ５４がサスペンション５３のみによって支持されている、つまり１点で支持されている。このため、浮上させる時に挙動が不安定になりやすかった。例えば、スライダ５４が気流からの圧力を受けた際に急激かつ過剰に傾く場合があり、このような場合にスライダ５４が光磁気ディスク５５に接触する可能性が高くなる。
【００１５】
また、上記公報に開示されている技術では、スライダ５４が浮上している際に振動等の何らかの原因でスライダ５４の動作が不安定になったとき、それを抑制することができなかった。
【００１６】
このように、上記公報に開示されている技術では、スライダ５４の動作の安定性が乏しいという問題があった。
【００１７】
本発明は、上記のような問題点を解決するためになされたものであり、その目的は、上記スライダ５４等の浮上型ヘッドの動作をより安定化させることができる浮上型ヘッド保持装置、およびこの浮上型ヘッド保持装置を備えた情報記録装置・情報再生装置を提供することにある。
【００１８】
【課題を解決するための手段】
本発明に係る浮上型ヘッド保持装置は、情報の記録または再生を行うためのヘッドであって、回転する板状の情報記録媒体に対向面を対向させた状態で上記情報記録媒体の回転により生じる気流によって上記情報記録媒体上で浮上動作する浮上型ヘッドの保持装置である。そして、本発明に係る浮上型ヘッド保持装置は、上記の課題を解決するために、一端を支点として回動可能に設けられ、他端において上記情報記録媒体に対する上記浮上型ヘッドの対向面の傾斜角が変化しうるように上記浮上型ヘッドを支持するとともに、上記浮上型ヘッドを回転する上記情報記録媒体に近づけることで浮上動作させ、上記情報記録媒体から遠ざけることで退避させるサスペンションと、上記サスペンション側に移動しサスペンションと当接してサスペンションを回動させることにより上記浮上型ヘッドを退避させるとともに、上記サスペンションとは反対側に移動しサスペンションから離れることにより上記浮上型ヘッドを浮上動作させるサスペンション駆動アームと、上記浮上型ヘッドが退避された状態では上記サスペンション側に移動して浮上型ヘッドと当接することにより上記浮上型ヘッドの対向面と上記情報記録媒体との距離が上記気流の下流側より上流側で大きくなるように上記傾斜角を規制するとともに、上記浮上型ヘッドが浮上動作に移行される際には上記サスペンションとは反対側に移動することによって上記浮上型ヘッドと干渉しない位置に退避することによって浮上型ヘッドの上記規制を解除するように、上記サスペンション駆動アームと一体的に駆動される補助アームとを備えることを特徴としている。
【００１９】
上記の構成では、サスペンションにより、回転している情報記録媒体に浮上型ヘッドを近づけることで浮上型ヘッドを浮上動作させ、情報記録媒体から遠ざけることで浮上型ヘッドを退避させることができる。したがって、ＣＳＳ方式とは異なり、退避状態においても浮上型ヘッドが情報記録媒体に接触することを避けることができる。
【００２０】
また、サスペンションは、情報記録媒体に対する浮上型ヘッドの対向面の傾斜角が変化しうるように浮上型ヘッドを支持している。したがって、浮上型ヘッドは、浮上動作時において、サスペンションから過剰に拘束されることなく、対向する情報記録媒体との間の気流により生じる圧力によって情報記録媒体と所定の位置関係（例えば、対向面が情報記録媒体に平行で所定間隔離れた位置関係）を保つようになる。
【００２１】
さらに、上記の構成では、浮上型ヘッドが退避された状態（退避状態）において、浮上型ヘッドの対向面と情報記録媒体との距離が気流の下流側より上流側で大きくなるように傾斜角が規制され、浮上型ヘッドの浮上動作への移行の際にその規制が解除される。これにより、浮上型ヘッドの浮上動作への移行の際に、浮上型ヘッドが気流からの圧力を受けやすくなり、浮上型ヘッドを容易に浮上動作させることができるようになる。
【００２２】
ここで、退避状態における傾斜角の規制は補助アームによって実現される。すなわち、退避状態においては、浮上型ヘッドがサスペンションに加えて補助アームによっても支持される、つまり浮上型ヘッドがサスペンションおよび補助アームの少なくとも２点で支持されることにより傾斜角が規制される。このように２点で支持して傾斜角を規制することにより、より確実な規制が可能になる。
【００２３】
浮上型ヘッドを１つの部材、つまり１点で支持する場合には、浮上型ヘッドの浮上動作への移行の際に浮上型ヘッドの挙動が不安定になりやすい。例えば、浮上型ヘッドが気流からの圧力を受けた際に傾斜角が急激かつ過剰に変化する場合があり、浮上型ヘッドが情報記録媒体に接触する可能性が高くなる。
【００２４】
上記の構成では、退避状態において浮上型ヘッドを２点で支持して傾斜角を規制しておき、浮上動作への移行にともなって補助アームによる支持を解除していくことにより、１点支持の場合のように浮上型ヘッドの挙動が不安定になることを抑制することができる。
【００２５】
このように、上記の構成では、浮上型ヘッドの動作をより安定化させることが可能になる。
【００２６】
本発明に係る浮上型ヘッド保持装置は、上記浮上型ヘッド保持装置において、上記補助アームが、上記浮上型ヘッドが退避された状態で上記傾斜角が０．１°〜１．２°となるように規制することが好ましい。
【００２７】
上記のように傾斜角を設定することによって、特に安定して浮上型ヘッドを浮上動作へ移行させることができるようになる。
【００２８】
本発明に係る浮上型ヘッド保持装置は、上記浮上型ヘッド保持装置において、上記サスペンション駆動アームおよび補助アームは、それぞれ上記情報記録媒体の表面と平行な方向に延びるアームであり、上記補助アームの方が上記サスペンション駆動アームよりも上記情報記録媒体に近い位置にあることが好ましい。
【００２９】
本発明に係る浮上型ヘッド保持装置は、上記浮上型ヘッド保持装置において、上記サスペンション駆動アームおよび補助アームを上記情報記録媒体の表面と平行な方向に駆動するアクチュエータをさらに備えることが好ましい。
【００３０】
本発明に係る浮上型ヘッド保持装置は、上記浮上型ヘッド保持装置において、上記浮上型ヘッドが退避された状態から浮上動作に移行される際には、まず上記サスペンション駆動アームが上記サスペンションから離れ、その後上記補助アームが上記浮上型ヘッドから離れることが好ましい。
【００３１】
なお、上記浮上型ヘッドが浮上型光学ヘッドである場合に上記各浮上型ヘッド保持装置の構成を用いることが特に好ましい。浮上型光学ヘッドでは、光路を適正に保つためにその動作を安定させることがより重要となるからである。
【００３２】
また、上記各浮上型ヘッド保持装置を備えて情報記録装置、または情報再生装置を構成することも好ましい。
【００３３】
【発明の実施の形態】
本発明の実施の一形態について図１から図５に基づいて説明すれば、以下の通りである。
【００３４】
図２は、本実施形態における情報再生装置１の概略構成を示す概念図である。情報再生装置１は、外部からセットされる光ディスク２（情報記録媒体）を回転するディスク駆動部３と、光ディスク２に対向して情報の再生を行う再生部４と、ディスク駆動部３、再生部４、その他情報再生装置１各部の制御、および再生する情報の情報処理を行う制御部５を備えている。
【００３５】
なお、本実施形態では情報再生装置１について説明するが、本発明は情報記録装置や情報記録再生装置にも適用可能である。このとき、再生部４は記録部や再生記録部となる。また、光ディスク２以外に、磁気ディスクや光磁気ディスクを対象として情報の記録、再生を行う情報再生装置等にも本発明を適用することができる。これらのディスクは、再生専用ディスクであってもよく、追記型ディスクや記録再生用ディスクであってもよい。なお、本明細書における「情報の記録」には、情報の消去も含むものとする。また、本明細書における「情報再生装置」および「情報記録装置」は、それぞれ「再生専用の装置」および「記録専用の装置」のみを意味するのではなく、それぞれ「再生が可能な装置」および「記録が可能な装置」を意味している。
【００３６】
情報再生装置１のディスク駆動部３や制御部５は一般的なものであるため、以下では再生部４に関して説明する。
【００３７】
図３は、再生部４の概略構成を示す斜視図である。再生部４には、対物レンズ１１ａを搭載した浮上型光学ヘッド１１（浮上型ヘッド）、浮上型光学ヘッド１１を１点支持するサスペンション１２（浮上型ヘッド支持部材）、浮上型光学ヘッド１１の位置を調整するためのアーム１３、アーム１３を駆動するためのアクチュエータ１４、半導体レーザやフォトダイオード、信号検出回路等を備えたピックアップ部１５、および落射ミラー１６が備えられている。なお、図３の一点鎖線はピックアップ部１５と対物レンズ１１ａとの間の光路を示している。
【００３８】
ピックアップ部１５の半導体レーザからは例えば波長４０５ｎｍの光ビームが出射される。この光ビームは、落射ミラー１６によって反射され、対物レンズ１１ａに入射する。対物レンズ１１ａは、例えば開口数ＮＡ＝０．９のレンズであり、入射した光ビームを光ディスク２（図１参照）の膜面側から所定位置に集光する。光ディスク２によって反射された反射光は、上記と同じ光路を逆にたどってピックアップ部１５に入射する。ピックアップ部１５では、入射した光ディスク２からの反射光に基づいて光ディスク２に記録された情報を電気信号として再生する。
【００３９】
なお、光ディスク２に代えて光磁気ディスクが用いられる場合には磁気ヘッドが必要となるが、この磁気ヘッドは浮上型光学ヘッド１１の例えば対物レンズ１１ａの周囲に設けられてもよく、光磁気ディスクに対して浮上型光学ヘッド１１と反対側の位置に設けられてもよい。
【００４０】
浮上型光学ヘッド１１は、上記のように対物レンズ１１ａを搭載しており、その対向面１１ｂを回転する光ディスク２に対向させた状態で、光ディスク２の回転により光ディスク２の表面に生じる気流によって光ディスク２の表面上で浮上動作する機能を有している。そのために、対向面１１ｂは大部分が平面になっている。
【００４１】
サスペンション１２は、その一端がアクチュエータ１４の筐体に固定されており、他端において浮上型光学ヘッド１１を１点支持している。なお、図示していないがアクチュエータ１４は再生部４内部の所定の位置に固定されている。サスペンション１２は板バネ等の弾性体で構成されている。そして、サスペンション１２により浮上型光学ヘッド１１を光ディスク２に近づけることで浮上型光学ヘッド１１を浮上動作させ、光ディスク２から遠ざけることで浮上型光学ヘッド１１を退避させることができる。以下では、浮上型光学ヘッド１１が浮上動作している状態を「ロード状態」、浮上型光学ヘッド１１が退避している状態を「アンロード状態」という。
【００４２】
サスペンション１２は、浮上型光学ヘッド１１を浮上動作させる際に浮上型光学ヘッド１１に対して光ディスク２の向きに所定の荷重をかけるようになっている。そして、浮上型光学ヘッド１１に作用する上記荷重と、光ディスク２の線速度に応じて発生する気流からの圧力とがつり合うことにより、光ディスク２と浮上型光学ヘッド１１や対物レンズ１１ａとの間隔が所定値に保たれるようになる。
【００４３】
サスペンション１２は、光ディスク２の表面に対する浮上型光学ヘッド１１の対向面１１ｂの傾斜角（図１（ａ）のθ）が変化しうるように浮上型光学ヘッド１１を支持している。このように傾斜角θを可変とするためには、浮上型光学ヘッド１１とサスペンション１２との連結部に角度可変な連結部材を用いればよい。
【００４４】
アーム１３は、サスペンション駆動アーム１３ａ（駆動部材）および補助アーム１３ｂ（退避角度規制部材）が一体化されて構成されており、アクチュエータ１４によって光ディスク２の表面とほぼ平行な方向（図３中矢印Ｂ方向）に駆動される。サスペンション駆動アーム１３ａおよび補助アーム１３ｂは、光ディスク２の表面とほぼ平行な方向に延びるアームであり、サスペンション駆動アーム１３ａと補助アーム１３ｂとでは、補助アーム１３ｂの方が光ディスク２に近い位置にある。
【００４５】
サスペンション駆動アーム１３ａは、サスペンション１２側（図３では左側）に移動することによってサスペンション１２と当接し、サスペンション１２をそのアクチュエータ１４に固定された一端を支点として回動させる。これにより、サスペンション１２が浮上型光学ヘッド１１を光ディスク２から遠ざけ、アンロード状態とすることができる。また、サスペンション駆動アーム１３ａは、サスペンション１２とは反対側（図３では右側）に移動することによってサスペンション１２から離れる。これにより、サスペンション１２が浮上型光学ヘッド１１を光ディスク２に近づけ、ロード状態とすることができる。このように、補助アーム１３ｂは、浮上型光学ヘッド１１を光ディスク２から遠ざける、または光ディスク２に近づけるためにサスペンション１２を移動させる機能を有している。
【００４６】
補助アーム１３ｂは、サスペンション１２側（図３では左側）に移動することによって浮上型光学ヘッド１１の上方（浮上型光学ヘッド１１に対して光ディスク２とは反対側の位置）に移動してくる。なお、補助アーム１３ｂは、サスペンション駆動アーム１３ａがサスペンション１２に当接するより前に浮上型光学ヘッド１１の上方に移動してくる。そして、サスペンション駆動アーム１３ａがサスペンション１２に当接し、サスペンション１２が浮上型光学ヘッド１１を光ディスク２から遠ざける際に、補助アーム１３ｂが浮上型光学ヘッド１１に当接して浮上型光学ヘッド１１における補助アーム１３ｂとの当接部分の移動を規制して浮上型光学ヘッド１１を傾けるようになっている。
【００４７】
また、補助アーム１３ｂは、サスペンション１２とは反対側（図３では右側）に移動することによって浮上型光学ヘッド１１の上方から退き、浮上型光学ヘッド１１に干渉しない位置に退避する。つまり、補助アーム１３ｂは、サスペンション駆動アーム１３ａに連動して移動し、浮上型光学ヘッド１１から離れることで浮上型光学ヘッド１１の傾斜角θの規制を解除する。
【００４８】
なお、サスペンション１２、アーム１３、アクチュエータ１４により、浮上型光学ヘッド１１を保持するための浮上型ヘッド保持装置が構成される。
【００４９】
次に、ロード状態およびアンロード状態について説明する。
図１（ａ）はアンロード状態における再生部４および光ディスク２の正面図であり、図１（ｂ）はアンロード状態における再生部４の斜視図である。なお、図１（ａ）の正面図は、光ディスク２における浮上型光学ヘッド１１の対向部分の回転方向Ｃに直交する方向から見たときのものである。
【００５０】
図１（ａ）において、光ディスク２は左側から右側に向かう向きに回転しており、これにより光ディスク２と再生部４との間には光ディスク２の回転と同じ向きの気流が発生する。したがって、図１（ａ）においては浮上型光学ヘッド１１と光ディスク２との間隙における左側（気流の上流側）が空気の流入部となり、右側（気流の下流側）が空気の流出部となる。
【００５１】
気流の方向において、サスペンション１２は補助アーム１３ｂより上流側に位置するように配置されている。したがって、アンロード状態では、浮上型光学ヘッド１１は、気流の上流側の方が下流側に比べて光ディスク２からの距離が大きくなるような姿勢で保持されることになる。つまり、アンロード状態では、浮上型光学ヘッド１１は、光ディスク２の表面に対して浮上型光学ヘッド１１の対向面１１ｂが気流の上流側で傾斜角θ（θ＞０）をもって保持されることになる。
【００５２】
このように、アンロード状態においては、浮上型光学ヘッド１１がサスペンション１２にて支持されるとともに、補助アーム１３ｂによっても支持されることで傾斜角θが上記のように規制されることになる。また、補助アーム１３ｂは、アンロード状態において、浮上型光学ヘッド１１の対向面１１ｂと光ディスク２との距離が気流の下流側より上流側で大きくなるように傾斜角θを規制する機能を有している。
【００５３】
アンロード状態からロード状態へ移行する際（ロード時）には、アクチュエータ１４によってアーム１３がサスペンション１２とは反対側（図１（ｂ）では右側）に移動されることにより、まずサスペンション駆動アーム１３ａがサスペンション１２から離れ、その後補助アーム１３ｂが浮上型光学ヘッド１１から離れる。
【００５４】
つまり、ロード時には、最初所定の傾斜角θが保たれている状態から、浮上型光学ヘッド１１が光ディスク２に近づくにつれて傾斜角θが徐々に小さくなることになる。そして、傾斜角θが０になった後、あるいは傾斜角θがほぼ０になったときに補助アーム１３ｂが浮上型光学ヘッド１１から離れて傾斜角θの規制を解除する。
【００５５】
このようにしてロード状態へ移行することにより、浮上型光学ヘッド１１が気流からの圧力を受けやすくなり、浮上型光学ヘッド１１を容易に浮上動作させることができるようになる。なお、ロード時には、予め光ディスク２が所定の回転数で回転している。
【００５６】
図４（ａ）はロード状態における再生部４および光ディスク２の正面図であり、図４（ｂ）はロード状態における再生部４の斜視図である。なお、図４（ａ）および図４（ｂ）は、それぞれ図１（ａ）および図１（ｂ）に対応するものである。
【００５７】
浮上型光学ヘッド１１が浮上動作した後は、浮上型光学ヘッド１１はサスペンション１２のみによって支持される。つまり、補助アーム１３ｂが浮上型光学ヘッド１１から離れている。なお、サスペンション駆動アーム１３ａもサスペンション１２から離れている。
【００５８】
ここで、サスペンション１２は、傾斜角θが変化しうるように浮上型光学ヘッド１１を支持しているため、浮上動作時においてサスペンション１２が浮上型光学ヘッド１１を過剰に拘束することはない。したがって、気流により生じる圧力によって浮上型光学ヘッド１１がサスペンション１２と所定の位置関係を保つようになる。
【００５９】
このとき、光ディスク２は回転しているため、浮上型光学ヘッド１１と光ディスク２との間には気流が発生し浮上型光学ヘッド１１に対して浮上圧が生じ、浮上型光学ヘッド１１が浮上する。ここで、光ディスク２の回転数によって気流の速度が変化する。したがって、光ディスク２の回転数が大きければ浮上型光学ヘッド１１と光ディスク２との距離が大きくなり、反対に光ディスク２の回転数が小さければ浮上型光学ヘッド１１と光ディスク２との距離が小さくなる。よって、浮上型光学ヘッド１１と光ディスク２との距離が所望の値になるように、すなわち対物レンズ１１ａのフォーカス距離に合わせて光ディスク２の回転数を設定すればよい。これによってフォーカス制御機構を設けることなく再生部４を構成することが可能になる。
【００６０】
なお、ロード状態においては、例えば、対向面１１ｂがサスペンション１２の表面に平行な状態で浮上動作する。つまり、浮上型光学ヘッド１１の対向面１１ｂと光ディスク２との距離が気流の上流側と下流側とで等しい状態で浮上型光学ヘッド１１が浮上動作する。また、浮上型光学ヘッド１１の対向面１１ｂと光ディスク２の表面との距離は、上記のように対物レンズ１１ａの焦点距離に応じて設定すればよく、具体的には、対物レンズ１１ａの開口数にもよるがおよそ数μｍ程度であり、好ましくは３μｍ以下である。
【００６１】
また、再生部４では、ロード状態において、ピックアップ部１５から出射された光ビームが適正に対物レンズ１１ａに入射し、適正に集光されるように各部材が配置されている。したがって、アンロード状態では、浮上型光学ヘッド１１の姿勢が傾いているため、ピックアップ部１５から出射された光ビームは対物レンズ１１ａに適正に入射されず、適正に集光されることもない。
【００６２】
以上のように、アンロード状態においては、浮上型光学ヘッド１１がサスペンション１２に加えて補助アーム１３ｂによっても直接支持される。つまり、浮上型光学ヘッド１１がサスペンション１２および補助アーム１３ｂの少なくとも２点で支持されることにより傾斜角θが規制される。このように２点で支持して傾斜角θを規制することにより、より確実な規制が可能になる。
【００６３】
浮上型光学ヘッド１１を例えばサスペンション１２のみで、つまり１点で支持する場合には、浮上動作への移行の際に浮上型光学ヘッド１１の挙動が不安定になりやすい。例えば、浮上型光学ヘッド１１が気流からの圧力を受けた際に傾斜角θが急激かつ過剰に変化する場合があり、浮上型光学ヘッド１１が光ディスク２の表面に接触する可能性が高くなる。
【００６４】
これに対して、上記の構成では、アンロード状態において浮上型光学ヘッド１１を２点で支持して傾斜角θを規制しておき、浮上動作への移行にともなって補助アーム１３ｂによる支持を解除していくことにより、１点支持の場合のように浮上型光学ヘッド１１の挙動が不安定になることを抑制することができる。つまり、上記の構成では、浮上型ヘッドの動作をより安定化させることが可能になる。
【００６５】
なお、ここでは、補助アーム１３ｂがサスペンション駆動アーム１３ａと一体となり、サスペンション駆動アーム１３ａに連動して移動する場合について説明したが、それぞれ別々に移動してもよい。ただし、連動して移動する構成では装置の構成を簡略化することができるので好ましい。
【００６６】
次に、傾斜角θと、ロード時の浮上型光学ヘッド１１の動作の安定性（ロード安定性）との関係について説明する。ここでは、光ディスク２を予め毎分１５００回転の回転数で回転させておき、アンロード状態での傾斜角θを変化させて、ロード状態への移行実験を同じ傾斜角θについて２０回ずつ行った。そして、浮上型光学ヘッド１１が光ディスク２に接触する回数を調べた。結果を表１に示す。
【００６７】
【表１】
0003833550.tif 000002
【００６８】
表１は、浮上型光学ヘッド１１が光ディスク２に接触した回数をアンロード状態の傾斜角θごとに示している。
【００６９】
表１に示したように、アンロード状態の傾斜各θが０°の場合にはロード時に浮上型光学ヘッド１１と光ディスク２とが接する現象が見られ、浮上型光学ヘッド１１もしくは光ディスク２に傷がついてしまった。
【００７０】
これに対して、アンロード状態での傾斜角θが０．１°〜１．２°の範囲では、ロード時に浮上型光学ヘッド１１と光ディスク２とが接する現象が全く見られなかった。これは、上述のようにロード時において浮上型光学ヘッド１１を２点で支持して浮上型光学ヘッド１１の姿勢を規制しているため、サスペンション１２のみの１点支持より姿勢が安定しているためであると考えられる。したがって、アンロード状態における傾斜角θを０．１°以上にすることが好ましい。
【００７１】
また、アンロード状態での傾斜角θが１．４以上になると、再びロード時に浮上型光学ヘッド１１と光ディスク２とが接する現象が見られた。これは、アンロード状態での傾斜角θがあまり大きくなりすぎると、浮上型光学ヘッド１１における気流の流出部が光ディスク２に接触してしまうためであると考えられる。したがって、アンロード状態における傾斜角θを１．２°以下にすることが好ましい。
【００７２】
このように、アンロード状態での傾斜角θとして好ましい範囲が０．１°〜１．２°の範囲と比較的広いと、設計の自由度が広がるので好ましい。
【００７３】
次に、本実施形態の一変形例について説明する。
図５は、再生部４の一変形例としての再生部４’の概略構成を示す斜視図である。再生部４’が再生部４とは、補助アーム１３ｂの代わりに可動式補助アーム１３ｃ（退避角度規制部材、浮上動作角度規制部材）が備えられている点において異なっており、他の構成は同一である。そして、再生部４’では、可動式補助アーム１３ｃをロード状態における浮上型光学ヘッド１１の浮上姿勢の制御に用いるものである。
【００７４】
再生部４’では、可動式補助アーム１３ｃがサスペンション駆動アーム１３ａに対して上下方向（図５中矢印Ｄ方向）および左右方向（図５中矢印Ｅ方向）に移動できるようになっている。
【００７５】
可動式補助アーム１３ｃは、アンロード状態では再生部４における補助アーム１３ｂと同じ位置に位置し（図１（ｂ）参照）、浮上型光学ヘッド１１の傾斜角θを設定する機能を果たす。このとき、可動式補助アーム１３ｃは退避角度規制部材として機能する。また、可動式補助アーム１３ｃは、ロード状態においても浮上型光学ヘッド１１の上方に位置している（図５）。そして、可動式補助アーム１３ｃは、ロード状態において傾斜角θが予め定めた範囲内に収まるように、傾斜角θの角度変化を規制する機能を果たしている。このとき、可動式補助アーム１３ｃは浮上動作角度規制部材として機能する。
【００７６】
なお、図５の構成ではサスペンション１２に対して気流の下流側に可動式補助アーム１３ｃが位置しているため、アンロード状態とは逆向きに浮上型光学ヘッド１１が傾斜することを規制することになる。図５の構成に限らず、サスペンション１２に対して気流の上流側に別途可動式補助アーム１３ｃが設けられていてもよく、これによりアンロード状態と同じ向きに浮上型光学ヘッド１１が傾斜することを規制することもできる。ただし、サスペンション１２に対して気流の上流側に設けた可動式補助アーム１３ｃは、ロード状態からアンロード状態への移行の際（アンロード時）には浮上型光学ヘッド１１の上方から退避し、浮上型光学ヘッド１１が傾斜するのを妨げないようにする。
【００７７】
光学ヘッドでは、対物レンズ１１ａによって光ビームを光ディスク２に集光し、記録や再生を行う。したがって、浮上型光学ヘッド１１の浮上動作時に何らかの原因で浮上型光学ヘッド１１の浮上姿勢が傾いてしまうと、光ビームが光ディスク２に適正に集光されなくなったり、光ビームが対物レンズ１１ａを透過できなくなったりする可能性がある。
【００７８】
傾斜角θが変化しうるようにサスペンション１２が浮上型光学ヘッド１１を支持していると、浮上型光学ヘッド１１の浮上動作時の自由度が大きいため何らかの原因で浮上姿勢が不安定になったとしても、再び光ディスク２と平行になるように浮上姿勢を整えることができる。しかし、浮上姿勢がある程度大きく傾いている間は光ディスク２に適正に光ビームを集光できなくなるので、適正な記録または再生ができなくなる。
【００７９】
再生部４’では、ロード時および浮上型光学ヘッド１１の浮上動作時に可動式補助アーム１３ｃが浮上型光学ヘッド１１の上方に位置することになるので、浮上型光学ヘッド１１が傾きそうになっても、傾斜角θが所定値を越えないように規制することができる。
【００８０】
なお、ロード状態における可動式補助アーム１３ｃの位置は、光ビームの対物レンズ１１ａによる集光特性の変化が実用上問題とならない範囲に傾斜角θを規制できるような位置とすることが好ましい。具体的には、傾斜角θが０．２°を越えないように、つまり傾斜角θが０．２°になると浮上型光学ヘッド１１が可動式補助アーム１３ｃに当接するような位置にロード状態における可動式補助アーム１３ｃを配置することが好ましい。なお、傾斜角θが変化しうる状態を保つために、通常の状態（傾斜角θが０．２°未満の状態）では可動式補助アーム１３ｃが浮上型光学ヘッド１１に接しないことが好ましい。
【００８１】
以上のように、再生部４’では、浮上型光学ヘッド１１の浮上動作時においてサスペンション１２による浮上型光学ヘッド１１の過剰拘束を回避しつつ、可動式補助アーム１３ｃが傾斜角θの変化を規制し、傾斜角θが予め定めた範囲内に収まるようにする。
【００８２】
これにより、浮上動作時に何らかの原因で浮上型光学ヘッド１１の浮上姿勢が不安定になったとしても、浮上動作や情報の記録または再生動作に支障を来すような状態まで傾斜角θが変化することを抑制することができる。そして、浮上型光学ヘッド１１の浮上動作時の安定性の向上、およびロード状態における光ビームの対物レンズ１１ａによる集光特性の改善を図ることが出来る。
【００８３】
なお、可動式補助アーム１３ｃはアクチュエータ等によって駆動することができ、また、圧電阻素子等を用いて駆動することによりさらに精密な位置制御が可能になる。
【００８４】
以上のように、再生部４は、光ディスク２の膜面側から光ビームを入射させ、浮上型光学ヘッド１１と光ディスク２の表面との浮上量を一定に保つことによりフォーカスを制御し、情報の再生を行うものである。そして、浮上型光学ヘッド１１は、アンロード状態では退避位置にて保持され、光ディスク２が回転している状態でロード状態に移行される。アンロード状態において浮上型光学ヘッド１１は、光ディスク２からの距離が光ディスク２の回転によって生じる気流の流入部の方が流出部に比べて高くなるようになっている。これにより、ロード時に浮上型光学ヘッド１１が光ディスク２に接触することを抑制することができる。
【００８５】
また、再生部４では、アンロード状態では浮上型光学ヘッド１１がサスペンションを介してサスペンション駆動アーム１３ａによって支持されることで光ディスク２から遠ざけられており、ロード時にサスペンション駆動アーム１３ａによる支持を解除することによって浮上型光学ヘッド１１が光ディスク２に近づけられて浮上動作する。また、浮上型光学ヘッド１１は、アンロード状態では補助アーム１３ｂによって光ディスク２からの距離が気流の流入部の方が流出部に比べて高くなるように保持される。そして、ロード時には、補助アーム１３ｂがサスペンション駆動アーム１３ａと連動して同時に解除される。これにより、より確実にロード時の浮上型光学ヘッド１１と光ディスク２との接触を抑制することができる。
【００８６】
また再生部４では、アンロード状態の浮上型光学ヘッド１１が、光ディスク２からの距離が気流の流入部の方が流出部に比べて０．１°〜１．２°上方に傾いている。これにより、ロード状態への移行をより安定して行うことができる。
【００８７】
再生部４’では、可動式補助アーム１３ｃは、浮上動作中の浮上型光学ヘッド１１の浮上姿勢を制御する。これにより、光ビームの対物レンズ１１ａによる集光特性を十分に確保することができる。
【００８８】
本実施形態の浮上型ヘッド保持装置は、情報の記録または再生を行うためのヘッドであって、回転する板状の情報記録媒体に対向面を対向させた状態で上記情報記録媒体の回転により生じる気流によって上記情報記録媒体上で浮上動作する浮上型ヘッドの保持装置である。そして、本実施形態の浮上型ヘッド保持装置は、上記情報記録媒体に対する上記浮上型ヘッドの対向面の傾斜角が変化しうるように上記浮上型ヘッドを支持しつつ、上記浮上型ヘッドを回転する上記情報記録媒体に近づけることで浮上動作させ、上記情報記録媒体から遠ざけることで退避させる浮上型ヘッド支持部材と、上記浮上型ヘッドが退避された状態で、上記浮上型ヘッドの対向面と上記情報記録媒体との距離が上記気流の下流側より上流側で大きくなるように上記傾斜角を規制するとともに、上記浮上型ヘッドが浮上動作に移行される際に上記規制を解除する退避角度規制部材とを備え、上記浮上型ヘッドが退避された状態では、上記浮上型ヘッドが上記退避角度規制部材によっても支持されることで上記傾斜角が規制されることを特徴としている。
【００８９】
上記の構成では、浮上型ヘッド支持部材により、回転している情報記録媒体に浮上型ヘッドを近づけることで浮上型ヘッドを浮上動作させ、情報記録媒体から遠ざけることで浮上型ヘッドを退避させることができる。したがって、ＣＳＳ方式とは異なり、退避状態においても浮上型ヘッドが情報記録媒体に接触することを避けることができる。
【００９０】
また、浮上型ヘッド支持部材は、情報記録媒体に対する浮上型ヘッドの対向面の傾斜角が変化しうるように浮上型ヘッドを支持している。したがって、浮上型ヘッドは、浮上動作時において、浮上型ヘッド支持部材から過剰に拘束されることなく、対向する情報記録媒体との間の気流により生じる圧力によって情報記録媒体と所定の位置関係（例えば、対向面が情報記録媒体に平行で所定間隔離れた位置関係）を保つようになる。
【００９１】
さらに、上記の構成では、浮上型ヘッドが退避された状態（退避状態）において、浮上型ヘッドの対向面と情報記録媒体との距離が気流の下流側より上流側で大きくなるように傾斜角が規制され、浮上型ヘッドの浮上動作への移行の際にその規制が解除される。これにより、浮上型ヘッドの浮上動作への移行の際に、浮上型ヘッドが気流からの圧力を受けやすくなり、浮上型ヘッドを容易に浮上動作させることができるようになる。
【００９２】
ここで、退避状態における傾斜角の規制は退避角度規制部材によって実現される。すなわち、退避状態においては、浮上型ヘッドが浮上型ヘッド支持部材に加えて退避角度規制部材によっても支持される、つまり浮上型ヘッドが浮上型ヘッド支持部材および退避角度規制部材の少なくとも２点で支持されることにより傾斜角が規制される。このように２点で支持して傾斜角を規制することにより、より確実な規制が可能になる。
【００９３】
浮上型ヘッドを１つの部材、つまり１点で支持する場合には、浮上型ヘッドの浮上動作への移行の際に浮上型ヘッドの挙動が不安定になりやすい。例えば、浮上型ヘッドが気流からの圧力を受けた際に傾斜角が急激かつ過剰に変化する場合があり、浮上型ヘッドが情報記録媒体に接触する可能性が高くなる。
【００９４】
上記の構成では、退避状態において浮上型ヘッドを２点で支持して傾斜角を規制しておき、浮上動作への移行にともなって退避角度規制部材による支持を解除していくことにより、１点支持の場合のように浮上型ヘッドの挙動が不安定になることを抑制することができる。
【００９５】
このように、上記の構成では、浮上型ヘッドの動作をより安定化させることが可能になる。
【００９６】
本実施形態の浮上型ヘッド保持装置は、上記浮上型ヘッド保持装置において、上記退避角度規制部材が、上記浮上型ヘッドが退避された状態で上記傾斜角が０．１°〜１．２°となるように規制することが好ましい。
【００９７】
上記のように傾斜角を設定することによって、特に安定して浮上型ヘッドを浮上動作へ移行させることができるようになる。
【００９８】
本実施形態の浮上型ヘッド保持装置は、上記浮上型ヘッド保持装置において、上記浮上型ヘッドを上記情報記録媒体に近づけるために上記浮上型ヘッド支持部材を移動させる駆動部材を備え、上記退避角度規制部材が、上記駆動部材に連動して移動して上記浮上型ヘッドから離れることで上記規制を解除することが好ましい。
【００９９】
上記の構成では、例えば浮上型ヘッド支持部材を移動させる駆動部材に退避角度規制部材を取り付けておくなどして、退避角度規制部材が駆動部材に連動して移動するようになっている。これにより、装置構成の簡略化を図ることができるようになる。
【０１００】
本実施形態の浮上型ヘッド保持装置は、上記浮上型ヘッド保持装置において、上記浮上型ヘッドが浮上動作している状態で、上記傾斜角が予め定めた範囲内に収まるように、上記傾斜角の角度変化を規制する浮上動作角度規制部材を備えることが好ましい。
【０１０１】
上記の構成では、浮上型ヘッドの浮上動作時において、浮上型ヘッド支持部材による浮上型ヘッドの過剰拘束を回避しつつ、浮上動作角度規制部材が傾斜角の変化を規制し、傾斜角が予め定めた範囲内に収まるようにする。これにより、浮上動作時に何らかの原因で浮上型ヘッドの浮上姿勢が不安定になったとしても、浮上動作や情報の記録または再生動作に支障を来すような状態まで傾斜角が変化することを抑制することができる。
【０１０２】
本実施形態の浮上型ヘッド保持装置は、情報の記録または再生を行うためのヘッドであって、回転する板状の情報記録媒体に対向面を対向させた状態で上記情報記録媒体の回転により生じる気流によって上記情報記録媒体上で浮上動作する浮上型ヘッドの保持装置である。そして、本実施形態の浮上型ヘッド保持装置は、上記情報記録媒体に対する上記浮上型ヘッドの対向面の傾斜角が変化しうるように上記浮上型ヘッドを支持しつつ、上記浮上型ヘッドを回転する上記情報記録媒体に近づけることで浮上動作させ、上記情報記録媒体から遠ざけることで退避させる浮上型ヘッド支持部材と、上記浮上型ヘッドが浮上動作している状態で、上記傾斜角が予め定めた範囲内に収まるように、上記傾斜角の変化を規制する浮上動作角度規制部材とを備えることを特徴としている。
【０１０３】
上記の構成では、浮上型ヘッド支持部材により、回転している情報記録媒体に浮上型ヘッドを近づけることで浮上型ヘッドを浮上動作させ、情報記録媒体から遠ざけることで浮上型ヘッドを退避させることができる。したがって、ＣＳＳ方式とは異なり、退避状態においても浮上型ヘッドが情報記録媒体に接触することを避けることができる。
【０１０４】
また、浮上型ヘッド支持部材は、情報記録媒体に対する浮上型ヘッドの対向面の傾斜角が変化しうるように浮上型ヘッドを支持している。したがって、浮上型ヘッドは、浮上動作時において、浮上型ヘッド支持部材から過剰に拘束されることなく、対向する情報記録媒体との間の気流により生じる圧力によって情報記録媒体と所定の位置関係を保つようになる。
【０１０５】
さらに、上記の構成では、浮上型ヘッドが浮上動作している状態で、浮上動作角度規制部材が傾斜角の変化を規制し、傾斜角が予め定めた範囲内に収まるようにする。これにより、浮上動作時に何らかの原因で浮上型ヘッドの浮上姿勢が不安定になったとしても、浮上動作や情報の記録または再生動作に支障を来すような状態まで傾斜角が変化することを抑制することができる。
【０１０６】
このように、上記の構成では、浮上型ヘッドの動作をより安定化させることが可能になる。
【０１０７】
なお、上記浮上型ヘッドが浮上型光学ヘッドである場合に上記各浮上型ヘッド保持装置の構成を用いることが特に好ましい。浮上型光学ヘッドでは、光路を適正に保つためにその動作を安定させることがより重要となるからである。
【０１０８】
また、上記各浮上型ヘッド保持装置を備えて情報記録装置、または情報再生装置を構成することも好ましい。
【０１０９】
【発明の効果】
以上のように、本発明に係る浮上型ヘッド保持装置は、一端を支点として回動可能に設けられ、他端において情報記録媒体に対する浮上型ヘッドの対向面の傾斜角が変化しうるように浮上型ヘッドを支持するとともに、浮上型ヘッドを情報記録媒体に近づけることで浮上動作させ、情報記録媒体から遠ざけることで退避させるサスペンションと、サスペンション側に移動しサスペンションと当接してサスペンションを回動させることにより浮上型ヘッドを退避させるとともに、サスペンションとは反対側に移動しサスペンションから離れることにより浮上型ヘッドを浮上動作させるサスペンション駆動アームと、浮上型ヘッドが退避された状態ではサスペンション側に移動して浮上型ヘッドと当接することにより浮上型ヘッドの対向面と情報記録媒体との距離が気流の下流側より上流側で大きくなるように傾斜角を規制するとともに、浮上型ヘッドが浮上動作に移行される際には上記サスペンションとは反対側に移動することによって浮上型ヘッドと干渉しない位置に退避することによって浮上型ヘッドの規制を解除するように、サスペンション駆動アームと一体的に駆動される補助アームとを備える構成である。
【０１１０】
上記の構成では、浮上型ヘッドは、浮上動作時において、サスペンションから過剰に拘束されることなく、対向する情報記録媒体との間の気流により生じる圧力によって情報記録媒体と所定の位置関係を保つようになる。
【０１１１】
また、上記の構成では、浮上型ヘッドの浮上動作への移行の際に、浮上型ヘッドが気流からの圧力を受けやすくなり、浮上型ヘッドを容易に浮上動作させることができるようになる。
【０１１２】
さらに、上記の構成では、浮上型ヘッドがサスペンションおよび補助アームの少なくとも２点で支持されることにより傾斜角が規制される。このように２点で支持して傾斜角を規制することにより、より確実な規制が可能になる。
このように、上記の構成では、浮上型ヘッドの動作をより安定化させることが可能になる。
【０１１３】
本発明に係る浮上型ヘッド保持装置は、上記浮上型ヘッド保持装置において、補助アームが、浮上型ヘッドが退避された状態で傾斜角が０．１°〜１．２°となるように規制することが好ましい。
【０１１４】
上記のように傾斜角を設定することによって、特に安定して浮上型ヘッドを浮上動作へ移行させることができるようになる。
【０１１５】
本発明に係る浮上型ヘッド保持装置は、上記浮上型ヘッド保持装置において、サスペンション駆動アームおよび補助アームは、それぞれ情報記録媒体の表面と平行な方向に延びるアームであり、補助アームの方がサスペンション駆動アームよりも情報記録媒体に近い位置にあることが好ましい。
【０１１６】
本発明に係る浮上型ヘッド保持装置は、上記浮上型ヘッド保持装置において、サスペンション駆動アームおよび補助アームを情報記録媒体の表面と平行な方向に駆動するアクチュエータをさらに備えることが好ましい。
【０１１７】
本発明に係る浮上型ヘッド保持装置は、上記浮上型ヘッド保持装置において、浮上型ヘッドが退避された状態から浮上動作に移行される際には、まずサスペンション駆動アームがサスペンションから離れ、その後補助アームが浮上型ヘッドから離れることが好ましい。
【０１１８】
なお、上記浮上型ヘッドが浮上型光学ヘッドである場合に上記各浮上型ヘッド保持装置の構成を用いることが特に好ましい。浮上型光学ヘッドでは、光路を適正に保つためにその動作を安定させることがより重要となるからである。
【０１１９】
また、上記各浮上型ヘッド保持装置を備えて情報記録装置、または情報再生装置を構成することも好ましい。
【図面の簡単な説明】
【図１】  本発明の実施の一形態に係る情報再生装置における再生部がアンロード状態にある場合の再生部の概略構成を示す図面であり、（ａ）は正面図、（ｂ）は斜視図である。
【図２】  本発明の実施の一形態に係る情報再生装置の概略構成を示す概念図である。
【図３】  図２の情報再生装置における再生部の概略構成を示す斜視図である。
【図４】  図２の情報再生装置における再生部がロード状態にある場合の再生部の概略構成を示す図面であり、（ａ）は正面図、（ｂ）は斜視図である。
【図５】  図２の情報再生装置における再生部の一変形例の概略構成を示す斜視図である。
【図６】  従来の光磁気記録再生装置の概略構成を示す図面であり、（ａ）は正面図、（ｂ）は側面図である。
【符号の説明】
１      情報再生装置
２      光ディスク（情報記録媒体）
３      ディスク駆動部
４      再生部
４’    再生部
５      制御部
１１      浮上型光学ヘッド（浮上型ヘッド）
１１ａ    対物レンズ
１１ｂ    対向面
１２      サスペンション（浮上型ヘッド支持部材）
１３      アーム
１３ａ    サスペンション駆動アーム（駆動部材）
１３ｂ    補助アーム（退避角度規制部材）
１３ｃ    可動式補助アーム（退避角度規制部材、浮上動作角度規制部材）
１４      アクチュエータ
１５      ピックアップ部
【図１】
0003833550.tif 000003
【図２】
0003833550.tif 000004
【図３】
0003833550.tif 000005
【図４】
0003833550.tif 000006
【図５】
0003833550.tif 000007
【図６】
0003833550.tif 000008